(57)【要約】  【課題】外部機器との間でシリアル通信を行うシリアル通信装置において、接続や外部機器の種類の判断に、特別なスイッチや接続検出専用の信号線、あるいは通信用のソフトウェア等が必要となる。  【解決手段】簡易な構成で、外部機器との接続の判断を行い、また接続相手を特定するために、外部機器の信号入出力部と信号線を介して接続する接続手段と、前記信号線を用いてシリアル通信を行う通信手段と、前記通信手段を用いて送られる信号電圧を測定する信号電圧測定手段と、信号電圧に対する閾値を保持する閾値設定手段と、前記信号電圧のピーク値を、前記閾値と比較する信号電圧比較手段と、前記信号電圧比較手段の結果に基づき、外部機器の種類を判別する外部機器判別手段とを備える。【選択図】図１
2007080134.tif 000002
【特許請求の範囲】
【請求項１】
外部機器の信号入出力部と信号線を介して接続する接続手段と、
前記信号線を用いてシリアル通信を行う通信手段と、
前記通信手段を用いて送られる信号電圧を測定する信号電圧測定手段と、
信号電圧に対する閾値を保持する閾値設定手段と、
前記信号電圧のピーク値を、前記閾値と比較する信号電圧比較手段と、
前記信号電圧比較手段の結果に基づき、外部機器の種類を判別する外部機器判別手段と
を備えることを特徴とするシリアル通信装置。
【発明の詳細な説明】
【技術分野】
【０００１】
本発明は外部機器との接続端子を持ち、外部機器とシリアル通信を行う電子機器に関するものである。
【背景技術】
【０００２】
一般的なシリアル通信は、クロックとデータを送信する方式、あるいはあらかじめ決めたスピードでデータのみを送信する方式など多種の方式がある。また、外部機器との接続ではパーソナルコンピュータに使用されているＵＳＢなどが一般に知られている。
【０００３】
外部機器とのシリアル通信における接続の判断、あるいは外部機器の種類を判断するために、特開平９−３２２０３３号公報では、外部機器との接続を判断するために別途信号線を追加している。その他に、接続端子にスイッチを設けるか、あるいはＵＳＢにおいては、外部機器との間で機器の種類を判別する情報を通信することによって、接続された外部機器の種類を判断する。
【特許文献１】特開平９−３２２０３３号公報
【発明の開示】
【発明が解決しようとする課題】
【０００４】
しかしながら上記従来の構成では、接続の判断に信号線が余分に必要になり、またスイッチなどの構成物が必要になる。また、ＵＳＢにおいては、外部機器との間でその種類を判別する情報をやりとりするために、規格に従って双方向で通信し、動作するソフトウェア等が必要になる。
【０００５】
本発明では特別なスイッチや接続検出専用の信号線、あるいは通信用のソフトウェア等を必要とせず、簡易な構成で、外部機器との接続の判断を行い、また接続相手を特定することができるシリアル通信装置を提供することを目的とする。
【課題を解決するための手段】
【０００６】
上記目的を達成するため、本発明は、外部機器の信号入出力部と信号線を介して接続する接続手段と、前記信号線を用いてシリアル通信を行う通信手段と、前記通信手段を用いて送られる信号電圧を測定する信号電圧測定手段と、信号電圧に対する閾値を保持する閾値設定手段と、前記信号電圧のピーク値を、前記閾値と比較する信号電圧比較手段と、前記信号電圧比較手段の結果に基づき、外部機器の種類を判別する外部機器判別手段とを備えることを特徴とする。
【発明の効果】
【０００７】
本発明のシリアル通信装置によれば、特別なスイッチや接続検出専用の信号線、あるいは通信用のソフトウェア等を必要とせずに、簡易な構成で、外部機器との接続の判断を行い、また接続相手を特定することができる。
【発明を実施するための最良の形態】
【０００８】
以下、本発明の実施の形態を、図面を用いて説明する。
【０００９】
（実施の形態１）
図１は、本発明におけるシリアル通信装置の一例で、シリアル通信装置としてビデオカメラ、外部機器としてビデオフラッシュを接続した場合の構成図を示す。図１において、１はビデオカメラ、２はビデオカメラに内蔵されているマイクロコンピュータ、３は第１のコンパレータ、４は第２のコンパレータ、５はホットシュー、６はプルアップ抵抗、７はビデオフラッシュ、８は第１のプルダウン抵抗、１３は外部機器用マイクロコンピュータ、１４はマイク切替スイッチ、１５は内部マイク、１６はマイクアンプである。
【００１０】
ビデオカメラ１とビデオフラッシュ７を接続し、マイクロコンピュータ２のデータはオープンドレイン出力とし、プルアップ抵抗６は１０ＫΩで３Ｖ電源に接続し、ビデオフラッシュ７内部にある第１のプルダウン抵抗８は９０ＫΩでＧＮＤと接続している。データ出力がない場合には、プルアップ抵抗６と第１のプルダウン抵抗８によりデータラインの電圧は２．７Ｖとなる。マイクロコンピュータ２は、通信せずにデータ出力を止めたときのみ、第１のコンパレータ３と第２のコンパレータ４の出力を判断する。データ出力は、第１のコンパレータ３と第２のコンパレータ４の＋に接続され、第１のコンパレータ３の−側を２．８５Ｖ、第２のコンパレータ４の−側を２．５５Ｖとする。このときビデオカメラ１とビデオフラッシュ７が接続された状態では、第１のコンパレータ３の出力は０Ｖ、第２のコンパレータ４の出力は３Ｖとなり、一方、接続されていない状態では、第１のコンパレータ３と第２のコンパレータ４の出力は、いずれも３Ｖとなる。このように、マイクロコンピュータ２は、第１のコンパレータ３の出力が０Ｖ、第２のコンパレータ４の出力が３Ｖの場合に、ビデオフラッシュ７が接続されたと判断できる。
【００１１】
外部機器用マイクロコンピュー１３は、電源電圧３Ｖの７０％、すなわち２．１Ｖ以上をハイレベルと判断できるものとし、これによりデータ通信を行う。図１の構成において、データ出力がない場合には、プルアップ抵抗６と第１のプルダウン抵抗８によりデータラインの電圧は２．７Ｖとなるため、外部機器用マイクロコンピュータ１３は、データラインの電圧が２．１Vを超えていることでハイレベルと判断する。
【００１２】
データラインにおける電圧の波形の一例を図２に示す。ビデオフラッシュ接続後、データ未送信の状態では、電圧は２．７Ｖとなり、データ送信状態では、２．７Ｖをハイレベルと判断し、データ送信を行う。
【００１３】
ビデオカメラ１は、接続機器がビデオフラッシュ７と判断した後は、ホットシュー５を通じて発光タイミングなどのフラッシュ７の動作に必要な情報を送信する。
【００１４】
上記実施例では、片方向通信の例について説明したが、仮に双方向通信を行う場合には、マイクロコンピュータ２も電源電圧の７０％、すなわち２．１Ｖ以上をハイレベルと判断するものとし、外部機器用マイクロコンピュータ１３の出力はオープンドレインとする。また、双方向通信の場合、外部機器用マイクロコンピュータ１３がデータを出力することがあり、そのタイミングは任意だが、マイクロコンピュータ２からクロックを送らないことで通信を止めることができる。
【００１５】
（実施の形態２）
図３はシリアル通信装置としてビデオカメラ、外部機器として外部接続マイクを接続した例である。図３において、図１と同一の構成については同一の符号を付与し、異なる点として、９は外部接続マイク、１０は第２のプルダウン抵抗、１１はＥＣＭ、１２はプリアンプである。
【００１６】
本実施の形態における外部接続マイクを接続した際の電圧の波形の一例を図４に示す。
【００１７】
プルアップ抵抗６は１０ＫΩで３Ｖ電源に接続し、外部接続マイク９内部にある第２のプルダウン抵抗１０は４０ＫΩでＧＮＤと接続している。データ出力がない場合、プルアップ抵抗６と第２のプルダウン抵抗１０によりデータラインの電圧は２．４Ｖになる。データ出力はマイクロコンピュータ２と外部機器用マイクロコンピュータ１３との通信に使われる一方で、第１のコンパレータ３と第２のコンパレータ４の＋に接続される。第１のコンパレータ３の−側は２．８５Ｖに、第２のコンパレータ４の−側は２．５５Ｖに接続されている。このときビデオカメラ１と外部接続マイク９が接続された状態では、第１のコンパレータ３の出力は０Ｖ、第２のコンパレータ４の出力は３Ｖとなり、一方、接続されていない状態では、第１のコンパレータ３と第２のコンパレータ４の出力は、いずれも３Ｖとなる。このように、マイクロコンピュータ２は、第１のコンパレータ３、第２のコンパレータ４の出力が両方とも０Ｖの場合に外部接続マイク９が接続されたと判断できる。
【００１８】
外部接続マイク９が接続されたことを検出した場合、マイク切替スイッチ１４を制御して内部マイク１５から外部接続マイク９に切替えることで外部接続マイク９を使用することが出来る。またホットシュー５を通じてプリアンプ１２の周波数特性の切り替えなど、動作に必要な情報を送信する。
【００１９】
このように、マイクロコンピュータ２は、第１のコンパレータ３及び第２のコンパレータ４の出力により、外部機器との接続の判断を行い、また接続相手を特定することができる。
【００２０】
上記実施例における外部機器のプルダウン抵抗を、接続する外部機器毎に異なる値とすることによって、データラインの電圧を変えることができ、これに応じてコンパレータの数及び−側への電圧を設定することで、多種類の外部機器に対する種類の判別が可能となる。
【００２１】
なお、上記実施例ではデータラインを用いて、外部機器との接続の判断や、接続相手の特定を行ったが、クロックラインを用いて、同様の判断を行うこともできる。
【産業上の利用可能性】
【００２２】
本発明は外部機器との接続端子を持ち、外部機器とシリアル通信を行う電子機器において、有用である。
【図面の簡単な説明】
【００２３】
【図１】本発明のシリアル通信装置における一実施形態を示す構成図
【図２】同実施形態における電圧の変化の一例を示す波形図
【図３】本発明のシリアル通信装置における他の実施形態を示す構成図
【図４】同実施形態における電圧の変化の一例を示す波形図
【符号の説明】
【００２４】
１  ビデオカメラ
２  マイクロコンピュータ
３  第１のコンパレータ
４  第２のコンパレータ
５  ホットシュー
６  プルアップ抵抗
７  ビデオフラッシュ
８  第１のプルダウン抵抗
９  外部接続マイク
１０  第２のプルダウン抵抗
１１  ＥＣＭ
１２  プリアンプ
１３  外部機器用マイクロコンピュータ
１４  マイク切替スイッチ
１５  内部マイク  
１６  マイクアンプ
【図１】
2007080134.tif 000003
【図２】
2007080134.tif 000004
【図３】
2007080134.tif 000005
【図４】
2007080134.tif 000006